(57)【特許請求の範囲】
【請求項１】
ワイヤレス通信の方法において、
第２のｅノードＢから第１のｅノードＢへのハンドオーバーの後、無線リソース制御接続状態の間に、少なくとも１つの不必要なシステム情報を前記第１のｅノードＢから獲得することと、
遷移期間の間、前記少なくとも１つの不必要なシステム情報を獲得することなく、前記無線リソース制御接続状態から無線リソース制御アイドル状態に遷移することとを含み、
前記不必要なシステム情報は、前記無線リソース制御接続状態で必要とされないが、前記無線リソース制御アイドル状態で必要とされるシステム情報であり、
前記遷移期間は、前記無線リソース制御接続状態のリリースと無線リソース制御アイドル状態のキャンプステータスへの遷移の成功との間である方法。
【請求項２】
前記少なくとも１つの不必要なシステム情報を獲得することは、前記遷移期間を最小化する請求項１記載の方法。
【請求項３】
前記少なくとも１つの不必要なシステム情報を使用することをさらに含む請求項１記載の方法。
【請求項４】
前記少なくとも１つの不必要なシステム情報を使用することは、前記少なくとも１つの不必要なシステム情報に基づくセル再選択を通して、動作停止になる可能性を最小化することを含む請求項３記載の方法。
【請求項５】
前記セル再選択は、セル上での同じ搬送波上における、異なる周波数へのイントラ周波数再選択であり、前記不必要なシステム情報は、システム情報タイプブロック３およびシステム情報タイプブロック４を含む請求項４記載の方法。
【請求項６】
前記セル再選択は、セル上での、異なる搬送波へのインター周波数再選択であり、前記不必要なシステム情報は、システム情報タイプブロック３およびシステム情報ブロックタイプ５を含む請求項４記載の方法。
【請求項７】
前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む請求項４記載の方法。
【請求項８】
前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である請求項１記載の方法。
【請求項９】
前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む請求項１記載の方法。
【請求項１０】
前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である請求項９記載の方法。
【請求項１１】
ワイヤレス通信のための装置において、
第２のｅノードＢから第１のｅノードＢへのハンドオーバーの後、無線リソース制御接続状態の間に、少なくとも１つの不必要なシステム情報を前記第１のｅノードＢから獲得する手段と、
遷移期間の間、前記少なくとも１つの不必要なシステム情報を獲得することなく、前記無線リソース制御接続状態から無線リソース制御アイドル状態に遷移する手段とを具備し、
前記不必要なシステム情報は、前記無線リソース制御接続状態で必要とされないが、前記無線リソース制御アイドル状態で必要とされるシステム情報であり、
前記遷移期間は、前記無線リソース制御接続状態のリリースと無線リソース制御アイドル状態のキャンプステータスへの遷移の成功との間である装置。
【請求項１２】
前記少なくとも１つの不必要なシステム情報を獲得する手段は、前記遷移期間を最小化する請求項１１記載の装置。
【請求項１３】
前記少なくとも１つの不必要なシステム情報を使用する手段をさらに具備する請求項１１記載の装置。
【請求項１４】
前記少なくとも１つの不必要なシステム情報を使用する手段は、前記少なくとも１つの不必要なシステム情報に基づくセル再選択を通して、動作停止になる可能性を最小化する手段を備える請求項１３記載の装置。
【請求項１５】
前記セル再選択は、セル上での同じ搬送波上における、異なる周波数へのイントラ周波数再選択であり、前記不必要なシステム情報は、システム情報タイプブロック３およびシステム情報タイプブロック４を含む請求項１４記載の装置。
【請求項１６】
前記セル再選択は、セル上での、異なる搬送波へのインター周波数再選択であり、前記不必要なシステム情報は、システム情報タイプブロック３およびシステム情報ブロックタイプ５を含む請求項１４記載の装置。
【請求項１７】
前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む請求項１４記載の装置。
【請求項１８】
前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である請求項１１記載の装置。
【請求項１９】
前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む請求項１１記載の装置。
【請求項２０】
前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である請求項１９記載の装置。
【請求項２１】
非一時的コンピュータ読取可能記憶媒体において、
第２のｅノードＢから第１のｅノードＢへのハンドオーバーの後、無線リソース制御接続状態の間に、少なくとも１つの不必要なシステム情報を前記第１のｅノードＢから獲得するためのコードと、
遷移期間の間、前記少なくとも１つの不必要なシステム情報を獲得することなく、前記無線リソース制御接続状態から無線リソース制御アイドル状態に遷移するためのコードとを含み、
前記不必要なシステム情報は、前記無線リソース制御接続状態で必要とされないが、前記無線リソース制御アイドル状態で必要とされるシステム情報であり、
前記遷移期間は、前記無線リソース制御接続状態のリリースと無線リソース制御アイドル状態のキャンプステータスへの遷移の成功との間であるコンピュータ読取可能記憶媒体。
【請求項２２】
前記少なくとも１つの不必要なシステム情報を獲得するためのコードは、前記遷移期間を最小化する請求項２１記載のコンピュータ読取可能記憶媒体。
【請求項２３】
前記少なくとも１つの不必要なシステム情報を使用するためのコードをさらに含む請求項２１記載のコンピュータ読取可能記憶媒体。
【請求項２４】
前記少なくとも１つの不必要なシステム情報を使用するためのコードは、前記少なくとも１つの不必要なシステム情報に基づくセル再選択を通して、動作停止になる可能性を最小化する請求項２３記載のコンピュータ読取可能記憶媒体。
【請求項２５】
前記セル再選択は、セル上での同じ搬送波上における、異なる周波数へのイントラ周波数再選択であり、前記不必要なシステム情報は、システム情報タイプブロック３およびシステム情報タイプブロック４を含む請求項２４記載のコンピュータ読取可能記憶媒体。
【請求項２６】
前記セル再選択は、セル上での、異なる搬送波へのインター周波数再選択であり、前記不必要なシステム情報は、システム情報タイプブロック３およびシステム情報ブロックタイプ５を含む請求項２４記載のコンピュータ読取可能記憶媒体。
【請求項２７】
前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む請求項２４記載のコンピュータ読取可能記憶媒体。
【請求項２８】
前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である請求項２１記載のコンピュータ読取可能記憶媒体。
【請求項２９】
前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む請求項２１記載のコンピュータ読取可能記憶媒体。
【請求項３０】
前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である請求項２９記載のコンピュータ読取可能記憶媒体。
【請求項３１】
ワイヤレス通信のための装置において、
第２のｅノードＢから第１のｅノードＢへのハンドオーバーの後、無線リソース制御接続状態の間に、少なくとも１つの不必要なシステム情報を前記第１のｅノードＢから獲得し、
遷移期間の間、前記少なくとも１つの不必要なシステム情報を獲得することなく、前記無線リソース制御接続状態から無線リソース制御アイドル状態に遷移するように構成されている処理システムを具備し、
前記不必要なシステム情報は、前記無線リソース制御接続状態で必要とされないが、前記無線リソース制御アイドル状態で必要とされるシステム情報であり、
前記遷移期間は、前記無線リソース制御接続状態のリリースと無線リソース制御アイドル状態のキャンプステータスへの遷移の成功との間である装置。
【請求項３２】
前記処理システムは、前記遷移期間を最小化するために、前記無線リソース制御接続状態の間に、前記少なくとも１つの不必要なシステム情報をセルから獲得するように構成されている請求項３１記載の装置。
【請求項３３】
前記処理システムは、前記少なくとも１つの不必要なシステム情報を使用するように構成されている請求項３１記載の装置。
【請求項３４】
前記処理システムは、前記少なくとも１つの不必要なシステム情報に基づくセル再選択を通して、動作停止になる可能性を最小化するために、前記少なくとも１つの不必要なシステム情報を使用するように構成されている請求項３３記載の装置。
【請求項３５】
前記セル再選択は、セル上での同じ搬送波上における、異なる周波数へのイントラ周波数再選択であり、前記不必要なシステム情報は、システム情報タイプブロック３およびシステム情報タイプブロック４を含む請求項３４記載の装置。
【請求項３６】
前記セル再選択は、セル上での、異なる搬送波へのインター周波数再選択であり、前記不必要なシステム情報は、システム情報タイプブロック３およびシステム情報ブロックタイプ５を含む請求項３４記載の装置。
【請求項３７】
前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む請求項３４記載の装置。
【請求項３８】
前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である請求項３１記載の装置。
【請求項３９】
前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む請求項３１記載の装置。
【請求項４０】
前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である請求項３９記載の装置。
【発明の詳細な説明】
【分野】
【０００１】
本開示は、一般的に、通信システムに関連し、さらに詳細には、接続モードでのシステム情報獲得に関する。
【背景】
【０００２】
ワイヤレス通信システムは、電話、ビデオ、データ、メッセージング、ブロードキャストのような、さまざまな電気通信サービスを提供するために広く採用されている。典型的なワイヤレス通信システムは、利用可能なシステムリソース（例えば、帯域幅、送信電力）を共有することにより、複数のユーザとの通信をサポートすることが可能な多元接続技術を用いることがある。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割複信−同期符号分割多元接続（ＴＤ−ＳＣＤＭＡ）システムを含む。
【０００３】
これらの多元接続技術は、異なるワイヤレスデバイスが、都市レベルで、国レベルで、領域レベルで、それどころか地球規模レベルで通信することを可能にする共通のプロトコルを提供するために、さまざまな電気通信標準規格中で採用されている。新興の電気通信標準規格の例は、ロングタームエボリューション（ＬＴＥ）である。ＬＴＥは、第３世代パートナーシッププロジェクト（３ＧＰＰ）により公表されたユニバーサルモバイルテレコミュニケーションシステム（ＵＭＴＳ）移動体標準規格に対する１組の拡張である。ＬＴＥは、スペクトル効率性を改善させることにより移動体広帯域インターネットアクセスをより良くサポートし、コストを削減し、サービスを改善し、新たなスペクトルを利用して、ダウンリンク（ＤＬ）上でのＯＦＤＭＡと、アップリンク（ＵＬ）上でのＳＣ−ＦＤＭＡと、複数入力複数出力（ＭＩＭＯ）アンテナ技術とを利用する他のオープンな標準規格により良く統合するように設計されている。しかしながら、移動体広帯域アクセスへの需要は増加し続けるので、ＬＴＥ技術におけるさらなる改良の必要性が存在する。好ましくは、これらの改良は、他のマルチアクセス技術、および、これらの技術を用いる電気通信標準規格に適用可能であるべきである。
【０００４】
ＬＴＥにおいて、ユーザ機器（ＵＥ）は、システム情報獲得手順を適用して、進化型ユニバーサル地上無線アクセスネットワーク（Ｅ−ＵＴＲＡＮ）によりブロードキャストされた、アクセス層（ＡＳ）および非アクセス層（ＮＡＳ）システム情報を獲得する。手順は、ＲＲＣ＿ＩＤＬＥ状態のＵＥと、ＲＲＣ＿ＣＯＮＮＥＣＴＥＤ状態のＵＥとを適用する。ＵＥが、ＲＲＣ＿ＣＯＮＮＥＣＴＥＤ状態であるとき、ＵＥは、ＣＤＭＡ２０００がサポートされているときに、ＭａｓｔｅｒＩｎｆｏｒｍａｔｉｏｎＢｌｏｃｋ（ＭＩＢ）、ＳｙｓｔｅｍＩｎｆｏｒｍａｔｉｏｎＢｌｏｃｋＴｙｐｅ１（ＳＩＢ１）、ＳｙｓｔｅｍＩｎｆｏｒｍａｔｉｏｎＢｌｏｃｋＴｙｐｅ２（ＳＩＢ２）、およびＳｙｓｔｅｍＩｎｆｏｒｍａｔｉｏｎＢｌｏｃｋＴｙｐｅ８（ＳＩＢ８）の有効なバージョンを持つことが確実でなければならない。ＵＥが、セル上でＲＲＣ＿ＣＯＮＮＥＣＴＥＤ状態のままでいるためには、この最小セットのシステム情報で十分である。ＵＥがＲＲＣ＿ＩＤＬＥ状態であるときに、ＵＥは、ＭＩＢ、ＳＩＢ１、ＳＩＢ２、およびＳｙｓｔｅｍＩｎｆｏｒｍａｔｉｏｎＢｌｏｃｋＴｙｐｅ３（ＳＩＢ３）ないしＳｙｓｔｅｍＩｎｆｏｒｍａｔｉｏｎＢｌｏｃｋＴｙｐｅ８（ＳＩＢ８）の有効なバージョンを持つことが確実に必要である。同じセル上でのＲＲＣ＿ＣＯＮＮＥＣＴＥＤ状態からＲＲＣ＿ＩＤＬＥ状態への遷移の時において、ＲＲＣ＿ＩＤＬＥ状態に対する必要なシステム情報を獲得することは、不必要な遅延を潜在的に生じさせることになる。不必要な遅延は、セルの破損および欠落ページとともに、動作停止になる可能性を増加させることにつながるだろう。このように、同じセル上での、ＲＲＣ＿ＣＯＮＮＥＣＴＥＤ状態とＲＲＣ＿ＩＤＬＥ状態との間での遷移の間のシステム情報獲得による遅延を減少させるための装置および方法に対する必要性が存在する。
【概要】
【０００５】
本開示のある態様では、ワイヤレス通信の方法は、無線リソース制御接続状態の間に、少なくとも１つの不必要なシステム情報をセルから獲得することを含む。不必要なシステム情報は、無線リソース制御接続状態で必要とされないシステム情報である。方法は、少なくとも１つの不必要なシステム情報を獲得することなく、セル上で、無線リソース制御接続状態から無線リソース制御アイドル状態に遷移することを含む。
【０００６】
本開示のある態様では、ワイヤレス通信に対する装置は、無線リソース制御接続状態の間に、少なくとも１つの不必要なシステム情報をセルから獲得する手段を具備する。不必要なシステム情報は、無線リソース制御接続状態で必要とされないシステム情報である。装置は、少なくとも１つの不必要なシステム情報を獲得することなく、セル上で、無線リソース制御接続状態から無線リソース制御アイドル状態に遷移する手段をさらに具備する。
【０００７】
本開示のある態様では、コンピュータプログラムプロダクトは、無線リソース制御接続状態の間に、少なくとも１つの不必要なシステム情報をセルから獲得するためのコードを含む。不必要なシステム情報は、無線リソース制御接続状態で必要とされないシステム情報である、コンピュータ読取可能媒体を含む。コンピュータ読取可能媒体は、少なくとも１つの不必要なシステム情報を獲得することなく、セル上で、無線リソース制御接続状態から無線リソース制御アイドル状態に遷移するためのコードをさらに含む。
【０００８】
本開示のある態様では、ワイヤレス通信に対する装置は、無線リソース制御接続状態の間に、少なくとも１つの不必要なシステム情報をセルから獲得するように構成されている。不必要なシステム情報は、無線リソース制御接続状態で必要とされないシステム情報である、処理システムを具備する。処理システムは、少なくとも１つの不必要なシステム情報を獲得することなく、セル上で、無線リソース制御接続状態から無線リソース制御アイドル状態に遷移するようにさらに構成されている。
【図面の簡単な説明】
【０００９】
【図１】図１は、処理システムを用いる装置に対するハードウェア実装の例を図示している概念図である。
【図２】図２は、ネットワークアーキテクチャの例を図示している概念図である。
【図３】図３は、アクセスネットワークの例を図示している概念図である。
【図４】図４は、アクセスネットワークにおける使用に対するフレーム構造の例を図示している概念図である。
【図５】図５は、ユーザプレーンおよび制御プレーンに対する無線プロトコルアーキテクチャの例を図示している概念図である。
【図６】図６は、アクセスネットワークにおけるｅノードＢおよびＵＥの例を図示している概念図である。
【図７】図７は、無線リソース制御レイヤにおけるシステム情報獲得を図示しているダイヤグラムである。
【図８】図８は、ＵＥが、同じセル上における、ＲＲＣ＿ＣＯＯＮＮＥＣＴＥＤ状態からＲＲＣ＿ＩＤＬＥ状態に遷移するときの潜在的な遅延を図示しているダイヤグラムである。
【図９】図９は、図８に関して議論した遅延を扱うための例示的な方法を図示しているダイヤグラムである。
【図１０】図１０は、セル再選択に関する例示的な方法を図示しているダイヤグラムである。
【図１１】図１１は、例示的な装置の機能性を図示している概念ブロック図である。
【詳細な説明】
【００１０】
添付した図面に関して下記に述べられている詳細な説明は、さまざまなコンフィギュレーションの説明として意図しており、ここに記述した概念を実施できる唯一のコンフィギュレーションを表すことを意図していない。詳細な説明は、さまざまな概念の完全な理解を提供する目的のために特有な詳細を含んでいる。しかしながら、これらの概念をこれらの特有な詳細なしで実施できることは、当業者にとって明らかだろう。いくつかの事例では、このような概念を曖昧にすることを避けるために、よく知られている構造およびコンポーネントをブロックダイヤグラムの形態で示している。
【００１１】
さまざまな装置および方法を参照して、電気通信システムのいくつかの態様をこれから提示する。これらの装置および方法を、（集合的には“エレメント”と呼ばれる）さまざまなブロック、モジュール、コンポーネント、回路、ステップ、処理、アルゴリズム等により、下記の詳細な説明において説明し、添付した図面において図示している。これらのエレメントは、電子ハードウェア、コンピュータソフトウェア、またはこれらの任意の組み合わせを使用して実現できる。このようなエレメントを、ハードウェアとして、または、ソフトウェアとして実現するか否かは、特定のアプリケーションとシステム全体に課せられる設計の制約とに依存している。
【００１２】
例として、エレメント、エレメントの任意の部分、または、エレメントの任意の組み合わせを、１つ以上のプロセッサを備える“処理システム”により実現できる。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲート論理、ディスクリートハードウェア回路、および、本開示全体を通して記述したさまざまな機能性を実行するように構成されている他の適切なハードウェアを含む。処理システム中の１つ以上のプロセッサは、ソフトウェアを実行できる。ソフトウェアは、ソフトウェア、ファームウェア、ミドルウェア、マイクロコード、ハードウェア記述言語、またはその他で言及されるかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味するように広く解釈されるものである。ソフトウェアは、コンピュータ読取可能媒体上に存在してもよい。コンピュータ読取可能媒体は、例として、磁気記憶デバイス（例えば、ハードディスク、フロッピー（登録商標）ディスク、磁気ストライプ）、光ディスク（例えば、コンパクトディスク（ＣＤ）、デジタル汎用性ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラム可能ＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、搬送波、伝送路、およびソフトウェアを記憶または送信する他の任意の適切な媒体を含むことができる。コンピュータ読取可能媒体は、処理システム中に内在させることができ、処理システムの外部にすることができ、または、処理システムを含む複数のエンティティにわたって分散させることができる。コンピュータ読取可能媒体は、コンピュータプログラムプロダクト中で具現化することができる。例として、コンピュータプログラムプロダクトは、パッケージングマテリアル中のコンピュータ読取可能媒体を含むとしてもよい。特定のアプリケーションと、システム全体に課せられる設計制約全体とに依存して、本開示全体を通して提示し、記述した機能性を、どのように実現することが最良であるかを、当業者は認識するだろう。
【００１３】
図１は、処理システム１１４を用いる装置１００に対するハードウェア実装の例を図示している概念図である。この例では、処理システム１１４は、一般的にバス１０２により表されている、バスアーキテクチャにより実現することができる。バス１０２は、処理システム１１４の特有なアプリケーションと全体的な設計の制約とに依存して、任意の数の相互接続しているバスとブリッジとを含んでもよい。バス１０２は、一般的にプロセッサ１０４により表されている、１つ以上のプロセッサと、一般的にコンピュータ読取可能媒体１０６により表されている、コンピュータ読取可能媒体とを含むさまざまな回路を互いにリンクする。バス１０２はまた、タイミングソース、周辺装置、電圧レギュレータ、および電力管理回路のような、他のさまざまな回路をリンクする。これらの他のさまざまな回路は、技術的によく知られており、それゆえ、これ以上記述しない。バスインターフェース１０８は、バス１０２とトランシーバ１１０との間のインターフェースを提供する。トランシーバ１１０は、伝送媒体を通して、他のさまざまな装置と通信する手段を提供する。装置の性質に依存して、ユーザインターフェース１１２（例えば、キーパッド、ディスプレイ、スピーカー、マイクロフォン、ジョイスティック）を提供することもできる。
【００１４】
プロセッサ１０４は、バス１０２と、コンピュータ読取可能媒体１０６上に記憶されているソフトウェアの実行を含む一般的な処理とを管理することを担当する。ソフトウェアは、プロセッサ１０４により実行されるとき、任意の特定の装置に対して下記に記述したさまざまな機能を処理システム１１４に実行させる。ソフトウェアを実行するときに、プロセッサ１０４により操作されるデータを記憶するために、コンピュータ読取可能媒体１０６も使用してもよい。
【００１５】
図２中に示されているようなＬＴＥネットワークアーキテクチャを参照して、さまざまな装置を用いる電気通信システムの例をこれから提示する。ＬＴＥネットワークアーキテクチャ２００が、コアネットワーク２０２とアクセスネットワーク２０４とにより示されている。この例では、コアネットワーク２０２は、アクセスネットワーク２０４にパケット交換サービスを提供するが、当業者が容易に正しく認識するように、本開示全体を通して提示したさまざまな概念を、回線交換サービスを提供するコアネットワークに拡張することができる。
【００１６】
アクセスネットワーク２０４が、単一の装置２１２により示されている。この単一の装置２１２は、通常、ＬＴＥアプリケーションにおいて、進化ノードＢと呼ばれるが、当業者により、基地局、基地トランシーバ局、無線基地局、無線トランシーバ、トランシーバ機能、基本サービスセット（ＢＳＳ）、拡張サービスセット（ＥＳＳ）、または他のいくつかの適切な専門用語として呼ばれることもある。ｅノードＢ２１２は、移動体装置２１４に対して、コアネットワーク２０２へのアクセスポイントを提供する。移動体装置の例は、セルラ電話機、スマートフォン、セッションイニシエーションプロトコル（ＳＩＰ）電話機、ラップトップ、パーソナルデジタルアシスタント（ＰＤＡ）、衛星ラジオ、グローバルポジショニングシステム、マルチメディアデバイス、ビデオデバイス、デジタルオーディオプレーヤ（例えば、ＭＰ３プレーヤ）、カメラ、ゲームコンソール、または他の何らかの類似した機能デバイスを含む。移動体装置２１４は、通常、ＬＴＥアプリケーションにおいて、ユーザ機器（ＵＥ）と呼ばれるが、当業者により、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または他のいくつかの適切な専門用語で呼ばれることもある。
【００１７】
コアネットワーク２０２が、パケットデータノード（ＰＤＮ）ゲートウェイ２０８と担当ゲートウェイ２１０とを含むいくつかの装置により示されている。ＰＤＮゲートウェイ２０８は、アクセスネットワーク２０４に対する接続をパケットベースのネットワーク２０６に提供する。この例では、パケットベースのネットワーク２０６はインターネットであるが、本開示全体を通して提示する概念は、インターネットアプリケーションに限定されない。ＰＤＮゲートウェイ２０８の主な機能は、ＵＥ２１４にネットワーク接続を提供することである。データパケットは、ＰＤＮゲートウェイ２０８と、ＵＥ２１４ないし担当ゲートウェイ２１０との間で転送される。担当ゲートウェイ２１０は、ＵＥ２１４がアクセスネットワーク２０４を通してローミングする際に、ローカル移動性アンカーとして機能する。
【００１８】
図３を参照して、ＬＴＥネットワークアーキテクチャにおけるアクセスネットワークの例をこれから提示する。この例では、アクセスネットワーク３００は、多数のセルラ領域（セル）３０２に分割されている。ｅノードＢ３０４は、セル３０２に割り当てられており、セル３０２中のすべてのＵＥ３０６に対して、コアネットワーク２０２（図２参照）へのアクセスポイントを提供するように構成されている。アクセスネットワーク３００のこの例では、集中制御装置が存在しないが、集中制御装置は、代替的なコンフィギュレーションにおいて使用してもよい。ｅノードＢ３０４は、無線ベアラ制御、アドミッション制御、移動性制御、スケジューリング、セキュリティ、コアネットワーク２０２（図２参照）中の担当ゲートウェイ２１０に対する接続性を含む、すべての無線関連機能を担当する。
【００１９】
アクセスネットワーク３００により用いられる変調および多元接続スキームは、採用される特定の電気通信標準規格に依存して、変化してもよい。ＬＴＥアプリケーションでは、周波数分割多重化（ＦＤＤ）と時分割多重化（ＴＤＤ）との双方をサポートするために、ＤＬ上でＯＦＤＭを使用して、ＵＬ上でＳＣ−ＦＤＭＡを使用する。当業者は、後に続く詳細な説明から、ここで提示したさまざまな概念がＬＴＥアプリケーションに十分に適していることを容易に正しく認識するだろう。しかしながら、これらの概念は、他の変調および多元接続技術を用いる他の電気通信標準規格に容易に拡張することができる。例として、これらの概念は、進化データ最適化（ＥＶ−ＤＯ）またはウルトラモバイルブロードバンド（ＵＭＢ）に拡張することができる。ＥＶ−ＤＯおよびＵＭＢは、ＣＤＭＡ２０００ファミリの標準規格の一部として、第３世代パートナーズシッププロジェクト２（３ＧＰＰ２）により公表されたエアインターフェース標準規格であり、ＣＤＭＡを用いて、ブロードバンドインターネットアクセスを移動局に提供する。これらの概念は、ワイドバンドＣＤＭＡ（Ｗ−ＣＤＭＡ（登録商標））とＴＤ−ＳＣＤＭＡのような他のさまざまなＣＤＭＡとを用いるユニバーサル地上無線アクセス（ＵＴＲＡ）や、ＴＤＭＡを用いるグローバルシステムフォーモバイルコミュニケーション（ＧＳＭ（登録商標））や、ＯＦＤＭＡを用いる、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびフラッシュＯＦＤＭにも拡張することができる。ＵＴＲＡ、Ｅ−ＵＴＲＡ、ＵＭＴＳ、ＬＴＥ、およびＧＳＭは、３ＧＰＰ機関からの文書中に記載されている。ＣＤＭＡ２０００およびＵＭＢは、３ＧＰＰ２機関からの文書中に記載されている。実際のワイヤレス通信標準規格、および、用いられる多元接続技術は、特有なアプリケーションと、システム上に課せられる全体的な設計の制約とに依存するだろう。
【００２０】
ｅノードＢ３０４は、ＭＩＭＯ技術をサポートする複数のアンテナを有していてもよい。ＭＩＭＯ技術の使用により、ｅノードＢ３０４が、空間ドメインを活用して、空間多重化と、ビーム形成と、送信ダイバーシティとをサポートすることが可能になる。
【００２１】
同一の周波数上で、異なるデータのストリームを同時に送信するために、空間多重化を使用してもよい。データストリームを単一のＵＥ３０６に送信して、データレートを増加させてもよく、または、データストリームを複数のＵＥ３０６に送信して、全体的なシステムの容量を増加させてもよい。各データストリームを空間的にプリコード化して、各空間的にプリコード化したストリームを、ダウンリンク上の異なる送信アンテナを通して送信することにより、これを達成する。空間的にプリコード化したデータストリームは、異なる空間シグネチャでＵＥ３０６に到達する。これにより、ＵＥ３０６のそれぞれが、そのＵＥ３０６に宛てられている１つ以上のデータストリームを復元できるようになる。アップリンク上において、各ＵＥ３０６は、空間的にプリコード化したデータストリームを送信し、これにより、ｅノードＢ３０４が、各空間的にプリコード化されたデータストリームの発信元を識別できるようになる。
【００２２】
空間多重化は、一般的に、チャネル条件が良いときに使用される。チャネル条件が好適なものにたりないときに、ビーム形成を使用して、送信エネルギーを１つ以上の方向に集中させてもよい。複数のアンテナを通して送信するために、データを空間的にプリコード化することにより、これを達成してもよい。セルの端における良いカバレッジを達成するために、単一のストリームビーム形成送信を、送信ダイバーシティと組み合わせて使用してもよい。
【００２３】
後に続く詳細な説明において、ダウンリンク上でＯＦＤＭをサポートするＭＩＭＯシステムを参照して、アクセスネットワークのさまざまな態様を記述する。ＯＦＤＭは、ＯＦＤＭシンボル内で、多数の副搬送波を通してデータを変調するスペクトル拡散技術である。副搬送波は、精密な周波数だけスペースを空けて離れている。間隔は、受信機が副搬送波からデータを復元することを可能にする“直交性”を提供する。時間ドメインにおいて、各ＯＦＤＭシンボルにガードインターバル（例えば、サイクリックプリフィックス）を付加して、ＯＦＤＭシンボル間の干渉を抑制してもよい。アップリンクは、ＤＦＴ拡散ＯＦＤＭ信号の形態でＳＣ−ＦＤＭＡを使用して、高いピーク対平均電力比（ＰＡＲＲ）を補償してもよい。
【００２４】
さまざまなフレーム構造を使用して、ＤＬおよびＵＬ送信をサポートしてもよい。図４を参照して、ＤＬフレーム構造の例をこれから提示する。しかしながら、当業者が容易に正しく認識するように、任意の特定のアプリケーションに対するフレーム構造は、任意の数の要因に依存して異なっていてもよい。この例では、フレーム（１０ｍｓ）が、１０個の等しいサイズのサブフレームに分割されている。各サブフレームは、２個の連続するタイムスロットを含む。
【００２５】
２個のタイムスロットを表すために、リソースグリッドを使用してもよく、それぞれのタイムスロットは、リソースブロックを含む。リソースグリッドは、複数のリソースエレメントに分割されている。ＬＴＥでは、リソースブロックは、周波数ドメインにおける１２個の連続する副搬送波と、各ＯＦＤＭシンボル中の通常サイクリックプリフィックスに対して、時間ドメインにおける７個の連続するＯＦＤＭシンボルと、すなわち８４個のリソースエレメントを含む。各リソースエレメントにより運ばれるビットの数は、変調スキームに依存する。したがって、ＵＥがリソースブロックを受信すればするほど、および、変調スキームが高ければ高いほど、ＵＥに対するデータレートが高くなる。
【００２６】
無線プロトコルアーキテクチャは、特定のアプリケーションに依存して、さまざまな形態をとってもよい。図５を参照して、ＬＴＥシステムに対する例をこれから提示する。図５は、ユーザプレーンと制御プレーンとに対する無線プロトコルアーキテクチャの例を図示している概念図である。
【００２７】
図５に目を向けると、ＵＥおよびｅノードＢに対する無線プロトコルアーキテクチャが、３つのレイヤ：レイヤ１、レイヤ２、およびレイヤ３により示されている。レイヤ１は、最下位であり、さまざまな物理レイヤ信号処理機能を実現する。レイヤ１は、ここでは物理レイヤ５０６と呼ばれるだろう。レイヤ２（Ｌ２レイヤ）５０８は、物理レイヤ５０６より上にあり、物理レイヤ５０６を通してＵＥとｅノードＢとの間のリンクを担当する。
【００２８】
ユーザプレーンでは、Ｌ２レイヤ５０８は、メディアアクセス制御（ＭＡＣ）サブレイヤ５１０と、無線リンク制御（ＲＬＣ）サブレイヤ５１２と、パケットデータ収束プロトコル（ＰＤＣＰ）サブレイヤ５１４とを含み、これらは、ネットワーク側のｅノードＢにおいて終端する。示されてはいないが、ＵＥは、Ｌ２レイヤ５０８より上にいくつかの上位レイヤを有していてもよい。Ｌ２レイヤ５０８より上のいくつかの上位レイヤは、ネットワーク側のＰＤＮゲートウェイ２０８（図２参照）において終端しているネットワークレイヤ（例えば、ＩＰレイヤ）と、接続のもう一端（例えば、離れた端のＵＥ、サーバ等）において終端しているアプリケーションレイヤとを含む。
【００２９】
ＰＤＣＰサブレイヤ５１４は、異なる無線ベアラと論理チャネルとの間での多重化を提供する。ＰＤＣＰサブレイヤ５１４はまた、無線送信オーバーヘッドを減少させるための、上位レイヤデータパケットに対するヘッダ圧縮と、データパケットを暗号化することによるセキュリティと、ｅノードＢ間でのＵＥに対するハンドオーバーサポートとを提供する。ＲＬＣサブレイヤ５１２は、上位レイヤデータパケットの、セグメント化および再組み立てと、消失データパケットの再送信と、ハイブリッド自動反復要求（ＨＡＲＱ）による順序通りでない受信を補償するための、データパケットの再順序付けとを提供する。ＭＡＣサブレイヤ５１０は、論理チャネルと伝送チャネルとの間での多重化を提供する。ＭＡＣサブレイヤ５１０は、ＵＥの中のあるセルにおけるさまざまな無線リソース（例えば、リソースブロック）を割り振ることも担当している。ＭＡＣサブレイヤ５１０は、ＨＡＲＱ動作も担当している。
【００３０】
制御プレーンでは、制御プレーンに対するヘッダ圧縮機能が存在しないことを除いて、ＵＥとｅノードＢとに対する無線プロトコルアーキテクチャは、実質的に、物理レイヤ５０６とＬ２レイヤ５０８とに対して同一である。制御プレーンは、レイヤ３中の無線リソース制御（ＲＲＣ）サブレイヤ５１６も含む。ＲＲＣサブレイヤ５１６は、無線リソース（すなわち、無線ベアラ）を取得することと、ｅノードＢとＵＥとの間のＲＲＣシグナリングを使用して、下位レイヤを構成することとを担当する。
【００３１】
図６は、アクセスネットワーク中でＵＥと通信中のｅノードＢのブロックダイヤグラムである。ＤＬにおいて、コアネットワークからの上位レイヤパケットが、送信（ＴＸ）Ｌ２プロセッサ６１４に提供される。ＴＸ Ｌ２プロセッサ６１４は、図５に関して先に記述したＬ２レイヤの機能性を実現する。より詳細には、ＴＸ Ｌ２プロセッサ６１４は、上位レイヤパケットのヘッダを圧縮し、パケットを暗号化し、暗号化されたパケットをセグメント化し、セグメント化されたパケットを再順序付けし、論理チャネルと伝送チャネルとの間でデータパケットを多重化し、さまざまな優先メトリックに基づいて、無線リソースをＵＥ６５０に割り当てる。ＴＸ Ｌ２プロセッサ６１４はまた、ＴＸ無線リソース制御装置６１２からの制御に基づいて、ＨＡＲＱ動作と、消失パケットの再送信と、ＵＥ６５０へのシグナリングとを担当する。
【００３２】
ＴＸデータプロセッサ６１６は、物理レイヤに対するさまざまな信号処理機能を実現する。信号処理機能は、ＵＥ６５０における順方向誤り訂正（ＦＥＣ）を促進するために、コード化することおよびインターリーブすることと、さまざまな変調スキーム（例えば、２値位相偏移変調（ＢＰＳＫ）、４位相偏移変調（ＱＰＳＫ）、Ｍ位相偏移変調（Ｍ−ＰＳＫ）、Ｍ直交振幅変調（Ｍ−ＱＡＭ））に基づいて、信号配置にマッピングすることとを含む。コード化され、変調されたシンボルは、その後、パラレルストリーム中に分けられる。各ストリームは、その後、ＯＦＤＭ副搬送波にマッピングされ、時間および／または周波数ドメインにおいて基準信号（例えば、パイロット）で多重化され、その後、高速逆フーリエ変換（ＩＦＦＴ）を使用して互いに合成されて、時間ドメインＯＦＤＭシンボルストリームを運ぶ物理チャネルが生成される。ＯＦＤＭストリームは、空間的にプリコード化され、複数の空間ストリームが生成される。チャネル推定器６７４からのチャネル推定を使用して、コーディングおよび変調スキームとともに、空間処理に対するスキームを決定してもよい。ＵＥ６５０により送信された、基準信号および／またはチャネル条件フィードバックからチャネル推定を導出してもよい。各空間ストリームは、その後、別個の送信機６１８ＴＸを通して、異なるアンテナ６２０に提供される。各送信機６１８ＴＸは、ＲＦ搬送波を、送信に対するそれぞれの空間ストリームで変調する。
【００３３】
ＵＥ６５０において、各受信機６５４ＲＸは、そのそれぞれのアンテナ６５２を通して信号を受信する。各受信機６５４ＲＸは、ＲＦ搬送波上の変調された情報を復元して、情報を受信機（ＲＸ）データプロセッサ６５６に提供する。
【００３４】
ＲＸデータプロセッサ６５６は、物理レイヤのさまざまな信号処理機能を実現する。ＲＸプロセッサ６５６は、情報で空間処理を実行して、ＵＥ６５０に宛てられている任意の空間ストリームを復元する。複数の空間ストリームがＵＥ６５０に宛てられている場合に、これらを、ＲＸデータプロセッサ６５６により、単一のＯＦＤＭシンボルストリームに合成してもよい。ＲＸデータプロセッサ６５６は、その後、高速フーリエ変換（ＦＦＴ）を使用して、時間ドメインから周波数ドメインにＯＦＤＭシンボルストリームを変換する。周波数ドメイン信号は、ＯＦＤＭ信号の各副搬送波に対して、別個のＯＦＤＭシンボルストリームを含んでいる。各副搬送波上のシンボルおよび基準信号は、ｅノードＢ６１０により送信された可能性が最も高い信号配置点を決定することにより、復元および変調される。これらのソフト判定は、チャネル推定器６５８により計算されたチャネル推定に基づいていてもよい。その後、ソフト判定をデコードおよびデインターリーブして、物理チャネル上でｅノードＢ６１０により元々送信されたデータおよび制御信号を復元する。データおよび制御信号は、その後、ＲＸ Ｌ２プロセッサ６６０に提供される。
【００３５】
ＲＸ Ｌ２プロセッサ６６０は、図５に関して先に記述したＬ２レイヤの機能性を実現する。より詳細には、ＲＸ Ｌ２プロセッサ６６０は、伝送チャネルと論理チャネルとの間での多重分割化を提供し、データパケットを上位レイヤパケットへ再組み立てし、上位レイヤパケットを解読し、ヘッダを伸張して、制御信号を処理する。上位レイヤパケットは、その後、データシンク６６２に提供される。上位レイヤパケットは、Ｌ２レイヤより上のすべてのプロトコルレイヤを表す。ＲＸ Ｌ２プロセッサ６６０はまた、肯定応答（ＡＣＫ）プロトコルおよび／または否定応答（ＮＡＣＫ）プロトコルを使用して誤り訂正を担当し、ＨＡＲＱ動作をサポートする。制御信号は、ＲＸ無線リソース制御装置６６１に提供される。
【００３６】
ＵＬにおいて、データソース６６７を使用して、データパケットを送信（ＴＸ）Ｌ２プロセッサ６６４に提供する。データソース６６７は、Ｌ２レイヤ（Ｌ２）より上のすべてのプロトコルレイヤを表す。ｅノードＢ６１０によるＤＬ送信に関して記述した機能性に類似して、ＴＸ Ｌ２プロセッサ６６４は、ユーザプレーンおよび制御プレーンに対するＬ２レイヤを実現する。後者は、ＴＸ無線リソース制御装置６６５に対応する。ＴＸデータプロセッサ６６８は、物理レイヤを実現する。基準信号、または、ｅノードＢ６１０により送信されるフィードバックから、チャネル推定器６５８により導出されるチャネル推定は、適切なコーディングおよび変調スキームを選択して、空間処理を促進するために、ＴＸデータプロセッサ６６８により使用できる。ＴＸデータプロセッサ６６８により発生された空間ストリームは、別々の送信機６５４ＴＸを介して、異なるアンテナ６５２に提供される。各送信機６５４ＴＸは、ＲＦ搬送波を、送信に対するそれぞれの空間ストリームで変調する。
【００３７】
ＵＬ送信は、ＵＥ６５０における受信機機能に関して記述した方法と類似した方法で、ｅノードＢ６１０において処理される。各受信機６１８ＲＸは、そのそれぞれのアンテナ６２０を通して信号を受信する。各受信機６１８ＲＸは、ＲＦ搬送波上に変調された情報を復元し、情報をＲＸデータプロセッサ６７０に提供する。ＲＸデータプロセッサ６７０は、物理レイヤを実現し、ＲＸ Ｌ２プロセッサ６７２は、Ｌ２レイヤを実現する。ＲＸＬ２プロセッサからの上位レイヤパケットは、コアネットワークに提供でき、制御信号は、ＲＸ無線リソース制御装置６７６に提供できる。
【００３８】
図７は、ＲＲＣレイヤ５１６における、ＲＸ無線リソース制御装置６６１によるシステム情報獲得を図示しているダイヤグラム７００である。ＬＴＥでは、ＵＥ７０２は、Ｅ−ＵＴＲＡＮ７０４によりブロードキャストされたＡＳおよびＮＡＳシステム情報を、システム情報獲得手順を通して獲得する。手順は、以下のＲＲＣ＿ＩＤＬＥ状態において、ＵＥに適用する（１）電源入力の際の、カバレッジ外から戻る際の、および、別の無線アクセス技術（ＲＡＴ）からＥ−ＵＴＲＡに入った後の、セル選択；（２）セル再選択；（３）システム情報が変更されたという通知（４）最大有効性持続期間の満了。手順は、以下のＲＲＣ＿ＣＯＮＮＥＣＴＥＤ状態において、ＵＥに適用する（１）ハンドオーバー完了；（２）セル選択（Ｔ３１１満了の前の無線リンク障害の後の復元）；（３）システム情報が変更されたという通知。
【００３９】
図７中に示したように、システム情報は、Ｅ−ＵＴＲＡＮ７０４により、複数のシステム情報メッセージ中で送られる。下記の表１は、ＬＴＥにおけるシステム情報メッセージをリストしている：  
【表１】
0005944555.tif 000002
【００４０】
ＵＥ７０２がＲＲＣ＿ＩＤＬＥ状態であるときに、ＵＥ７０２は、関係しているＲＡＴのサポートに依存して、確実に、ＭＩＢ、ＳＩＢ１、およびＳＩＢ２ないしＳＩＢ８の有効なバージョンを有さなければならない。特に、ＲＲＣ＿ＩＤＬＥ状態であるとき、ＵＥ７０２は、ＷＣＤＭＡ（登録商標）がサポートされているときに、ＭＩＢ、ＳＩＢ１ないしＳＩＢ５、ＳＩＢ６を獲得しなければならず、ＧＳＭがサポートされているときに、ＳＩＢ７を獲得しなければならず、および、ＣＤＭＡ２０００がサポートされているときに、ＳＩＢ８を獲得しなければならない。ＵＥ７０２がＲＲＣ＿ＣＯＮＮＥＣＴＥＤ状態であるとき、ＵＥ７０２は、ＣＤＭＡ２０００がサポートされている場合に、確実に、ＭＩＢ、ＳＩＢ１、ＳＩＢ２、およびＳＩＢ８の有効なバージョンを有さなければならない。
【００４１】
図８は、ＵＥ７０２が、同じセル上で、ＲＲＣ＿ＣＯＮＮＥＣＴＥＤ状態からＲＲＣ＿ＩＤＬＥ状態に遷移するときの潜在的な遅延を図示しているダイヤグラム８００である。ＵＥ７０２がＲＲＣ＿ＣＯＮＮＥＣＴＥＤ状態であり、（ハンドオーバーの完了の成功、システム情報の変更、または、無線リンク障害（ＲＬＦ）復元のために）システム情報を獲得する必要があるときに、ＵＥ７０２は、（ＣＤＭＡ２０００がサポートされていると仮定して）ＭＩＢ、ＳＩＢ１、ＳＩＢ２、およびＳＩＢ８のみを収集する必要がある。ＵＥ７０２が、セル上でＲＲＣ＿ＣＯＮＮＥＣＴＥＤ状態のままでいるためには、この最小セットの“必要な”システム情報で十分である。しかしながら、ＵＥが、同じセル上で、ＲＲＣ＿ＣＯＮＮＥＣＴＥＤ状態からＲＲＣ＿ＩＤＬＥ状態に遷移するときに、ＵＥは、ＲＲＣ＿ＩＤＬＥ状態における最小システム情報要件を満たすために不必要なシステム情報ＳＩＢ３ないしＳＩＢ７を獲得する必要がある。遷移の間のシステム情報ＳＩＢ３ないしＳＩＢ７の獲得は、図８で描写するように、ＲＲＣ＿ＩＤＬＥ状態に遷移するＵＥ７０２のプロセスにおいて不必要な遅延を加えるだろう。Ｔ１の前に、ＵＥ７０２は、セルＡ上にキャンプされる。Ｔ１において、ＵＥ７０２は、セルＡからセルＢへのハンドオーバーを成功して完了する。ＵＥ７０２は、セルＢ上で、ＭＩＢ、ＳＩＢ１、ＳＩＢ２、およびＳＩＢ８を収集し始める。ＵＥは、それらの情報ブロックを獲得して記憶する。Ｔ２において、ＲＲＣ接続がリリースされ、ＵＥ７０２は、セルＢ上で、ＲＲＣ＿ＩＤＬＥ状態に遷移することを試みる。ＵＥ７０２は、セルＢ上で、Ｔ３までにＳＩＢ３ないしＳＩＢ７を獲得する。ＵＥ７０２は、Ｔ３において、ＲＲＣ＿ＩＤＬＥ状態のキャンプステータスに遷移することに成功する。ＳＩＢ３ないしＳＩＢ７を獲得するための時間期間（すなわち、Ｔ２とＴ３との間の時間期間）は、ＲＲＣ＿ＣＯＮＮＥＣＴＥＤ状態とＲＲＣ＿ＩＤＬＥ状態との間での遷移において遅延を生じさせる。システム情報スケジューリングに依存して、この割り込みは、数秒の長さになることがあり、これは、潜在的に、遅延した通話セットアップ、欠落ページ、および、下文で議論するような、可能性の増加につながるだろう。このように、遅延はＵＥ７０２の信頼性を低下させる場合がある。
【００４２】
図９は、図８に関して議論した遅延を扱うための例示的な方法を図示しているダイヤグラム９００である。図９中に示されているように、Ｔ１の前に、ＵＥ７０２は、セルＡ上でキャンプされる。Ｔ１において、ＵＥ７０２は、セルＡからセルＢへのハンドオーバーを成功して完了する。ＵＥ７０２は、セルＢ上で、必要なシステム情報ＭＩＢ、ＳＩＢ１、ＳＩＢ２、およびＳＩＢ８を収集し始める。加えて、ＵＥ７０２は、セルＢ上で、不必要なシステム情報ＳＩＢ３ないしＳＩＢ７を収集し始める。ＵＥは、これらの情報ブロックを獲得して記憶する。Ｔ２において、ＲＲＣ接続がリリースされ、ＵＥ７０２は、セルＢ上で、ＲＲＣ＿ＩＤＬＥ状態に遷移することを試みる。ＵＥ７０２は、ＲＲＣ＿ＩＤＬＥ状態に対して必要なシステム情報のすべてを既に有していることから、ＵＥ７０２は、Ｔ３’おいて、ＲＲＣ＿ＩＤＬＥ状態のキャンプステータスに遷移することに成功する。このケースでは、遅延（Ｔ３’とＴ２との差）は、実質的に減少される（すなわち、不必要なシステム情報を獲得しなくてはならないことにより生まれる遅延に対して、最小化される）。したがって、例示的な方法は、同じセルに対する、ＲＲＣ＿ＣＯＮＮＥＣＴＥＤ状態とＲＲＣ＿ＩＤＬＥ状態との間での遷移における不必要な遅延を除去し、したがって、結果的に、通話セットアップ障害、欠落ページ、に対するＵＥの性能がより良くなり、動作停止になる可能性を減少させる。
【００４３】
図１０は、セル再選択に関する例示的な方法を図示しているダイヤグラム１０００である。ＲＲＣ＿ＣＯＮＮＥＣＴＥＤ状態の間でのＵＥによる不必要なシステム情報の獲得は、ＵＥがＲＲＣ＿ＣＯＮＮＥＣＴＥＤ状態の間に無線リンク障害から復元することを促進する。さらに、ＲＲＣ＿ＣＯＮＮＥＣＴＥＤ状態の間での不必要なシステム情報の獲得は、ＲＲＣ＿ＩＤＬＥ状態の間に、セル再選択を通して動作停止になる可能性を減少させる（または、最小化する）。図１０中に示されているように、ＵＥは、ＲＲＣ＿ＣＯＮＮＥＣＴＥＤ状態の間に、必要なシステム情報と不必要なシステム情報とを獲得し、ＵＥがＴ４において動作停止になりそうになる場合に、ＵＥは、ＲＲＣ＿ＩＤＬＥ状態の間に、セル再選択を実行して、動作停止になる可能性を最小化する、または、そうでなければ、減少させる。ＵＥは、ＵＥがセル再選択を実行するのに必要な不必要なシステム情報を既に有していることから、ＵＥは、Ｔ４においてセル再選択を実行することができる。ＵＥが、ＲＲＣ＿ＣＯＮＮＥＣＴＥＤ状態の間に不必要なシステム情報を取得していなかったら、ＵＥは、図８に関して議論したように、Ｔ３の後までにセル再選択を実行できなかっただろう。セル再選択は、セルの同じ搬送波上での、異なる周波数へのイントラ周波数再選択であってもよく、セルの異なる搬送波へのインター周波数再選択であってもよく、また、異なるセルへのインターＲＡＴ再選択であってもよい。セル再選択がイントラ周波数再選択である場合に、表１中に示したような、システム情報タイプブロック３とシステム情報タイプブロック４とに基づいて、セル再選択は実行される。セル再選択がインター周波数再選択である場合に、表１中で示したような、システム情報ブロックタイプブロック３とシステム情報タイプブロック５とに基づいて、セル再選択は実行される。セル再選択がインターＲＡＴである場合に、表１中で示したような、システム情報ブロックタイプブロック３と、システム情報タイプブロック６とシステム情報ブロックタイプ７とのうちの少なくとも１つとに基づいて、セル再選択は実行される。
【００４４】
図１１は、例示的なＵＥ装置１００の機能性を図示している概念ブロック図１１００である。装置１００は、無線リソース制御接続状態の間に、少なくとも１つの不必要なシステム情報をセルから獲得するモジュール１１０２を備える。不必要なシステム情報は、無線リソース制御接続状態で必要とされないシステム情報である。装置１００は、少なくとも１つの不必要なシステム情報を獲得することなく、セル上で、無線リソース制御接続状態から無線リソース制御アイドル状態に遷移するモジュール１１０４をさらに備える。あるコンフィギュレーションでは、少なくとも１つの不必要なシステム情報の獲得は、ＲＲＣ接続状態からＲＲＣアイドル状態に遷移する遷移時間を最小化または減少させる。あるコンフィギュレーションでは、装置１００は、少なくとも１つの不必要なシステム情報に基づくセル選択を通して、動作停止になる可能性を最小化する、または、そうでなければ減少させるために、少なくとも１つの不必要なシステム情報を使用する。セル再選択は、ＲＲＣアイドル状態への遷移の後に実行される。セル再選択は、イントラ周波数再選択、インター周波数再選択、または、インターＲＡＴ再選択であってもよい。あるコンフィギュレーションでは、ＲＲＣ接続された状態は、ＲＲＣ＿ＣＯＮＮＥＣＴＥＤ状態であり、ＲＲＣアイドル状態は、ＲＲＣ＿ＩＤＬＥ状態である。“必要な”システム情報は、ＣＤＭＡ２０００がサポートされている場合に、ＭＩＢ、ＳＩＢ１、ＳＩＢ２、およびＳＩＢ８を含む。“不必要な”システム情報は、ＳＩＢ３ないしＳＩＢ７と、システム情報ブロックタイプ９（すなわち、ＳｙｓｔｅｍＩｎｆｏｒｍａｔｉｏｎＢｌｏｃｋＴｙｐｅ９）とを含むが、さらなるＳＩＢを含むかもしれない。
【００４５】
あるコンフィギュレーションでは、ワイヤレス通信に対する装置１００は、無線リソース制御接続状態の間に、少なくとも１つの不必要なシステム情報をセルから獲得する手段を備える。不必要なシステム情報は、無線リソース制御接続状態で必要とされないシステム情報である。さらに、装置１００は、少なくとも１つの不必要なシステム情報を獲得することなく、セル上で、無線リソース制御接続状態から無線リソース制御アイドル状態に遷移する手段を備える。前述した手段は、前述した手段により記載された機能を実行するように構成されている処理システム１１４である。
【００４６】
上述したように、例示的な方法および装置は、ＲＲＣ接続状態において不必要なシステム情報を獲得し、ＲＲＣ接続状態からＲＲＣアイドル状態に、前もって獲得した不必要なシステム情報を獲得することなく遷移する。例示的な方法により、例示的な装置が、ＲＲＣ接続状態とＲＲＣアイドル状態との間の遷移期間を減少させることが可能になる。さらに、例示的な方法により、例示的な装置が、ＲＲＣ接続状態の間に取得した不必要なシステム情報に基づく（ＲＲＣアイドル状態での）セル再選択を通して、動作停止になる可能性を減少させることが可能になる。
【００４７】
開示したプロセスにおけるステップの特有な順序または階層が、例示的なアプローチの実例であることを理解すべきである。設計選択に基づいて、プロセスにおけるステップの特有な順序または階層は再構成してもよいことを理解すべきである。添付している方法の請求項は、サンプルの順序におけるさまざまなステップのエレメントを提示しており、提示した特有な順序または階層に限定することを意味していない。
【００４８】
先の説明は、任意の当業者が、ここに記述したさまざまな態様を実施できるように提供している。これらの態様に対するさまざまな修正は、当業者に容易に明らかになり、ここで規定した一般的な原理を、他の態様に適用してもよい。したがって、特許請求の範囲は、ここで示した態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。当業者に知られ、または後に知られることになる、本開示全体を通して記述しているさまざまな態様のエレメントに対するすべての構造的および機能的な均等物は、ここでの参照により明確に組み込まれ、特許請求の範囲により含まれることを意図している。さらに、ここで開示したものは、このような開示が特許請求の範囲中に明示的に記載されているか否かにかかわらず、公共に捧げられることを意図していない。
以下に、本願出願時の特許請求の範囲に記載された発明を付記する。
［１］ワイヤレス通信の方法において、
無線リソース制御接続状態の間に、少なくとも１つの不必要なシステム情報をセルから獲得することと、
前記少なくとも１つの不必要なシステム情報を獲得することなく、前記セル上で、前記無線リソース制御接続状態から無線リソース制御アイドル状態に遷移することとを含み、
前記不必要なシステム情報は、前記無線リソース制御接続状態で必要とされないシステム情報である方法。
［２］前記少なくとも１つの不必要なシステム情報を獲得することは、前記無線リソース制御接続状態から前記無線リソース制御アイドル状態に遷移する遷移期間を最小化する［１］記載の方法。
［３］前記少なくとも１つの不必要なシステム情報を使用することをさらに含む［１］記載の方法。
［４］前記少なくとも１つの不必要なシステム情報を使用することは、前記少なくとも１つの不必要なシステム情報に基づくセル再選択を通して、動作停止になる可能性を最小化することを含む［３］記載の方法。
［５］前記セル再選択は、前記セル上での同じ搬送波上における、異なる周波数へのイントラ周波数再選択であり、前記不必要なシステム情報は、システム情報タイプブロック３およびシステム情報タイプブロック４を含む［４］記載の方法。
［６］前記セル再選択は、前記セル上での、異なる搬送波へのインター周波数再選択であり、前記不必要なシステム情報は、システム情報タイプブロック３およびシステム情報ブロックタイプ５を含む［４］記載の方法。
［７］前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む［４］記載の方法。
［８］前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である［１］記載の方法。
［９］前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む［１］記載の方法。
［１０］前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である［９］記載の方法。
［１１］ワイヤレス通信に対する装置において、
無線リソース制御接続状態の間に、少なくとも１つの不必要なシステム情報をセルから獲得する手段と、
前記少なくとも１つの不必要なシステム情報を獲得することなく、前記セル上で、前記無線リソース制御接続状態から無線リソース制御アイドル状態に遷移する手段とを具備し、
前記不必要なシステム情報は、前記無線リソース制御接続状態で必要とされないシステム情報である装置。
［１２］前記少なくとも１つの不必要なシステム情報を獲得する手段は、前記無線リソース制御接続状態から前記無線リソース制御アイドル状態に遷移する遷移期間を最小化する［１１］記載の装置。
［１３］前記少なくとも１つの不必要なシステム情報を使用する手段をさらに具備する［１１］記載の装置。
［１４］前記少なくとも１つの不必要なシステム情報を使用する手段は、前記少なくとも１つの不必要なシステム情報に基づくセル再選択を通して、動作停止になる可能性を最小化する手段を備える［１３］記載の装置。
［１５］前記セル再選択は、前記セル上での同じ搬送波上における、異なる周波数へのイントラ周波数再選択であり、前記不必要なシステム情報は、システム情報タイプブロック３およびシステム情報タイプブロック４を含む［１４］記載の装置。
［１６］前記セル再選択は、前記セル上での、異なる搬送波へのインター周波数再選択であり、前記不必要なシステム情報は、システム情報タイプブロック３およびシステム情報ブロックタイプ５を含む［１４］記載の装置。
［１７］前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む［１４］記載の装置。
［１８］前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である［１１］記載の装置。
［１９］前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む［１１］記載の装置。
［２０］前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である［１９］記載の装置。
［２１］無線リソース制御接続状態の間に、少なくとも１つの不必要なシステム情報をセルから獲得するためのコードと、
前記少なくとも１つの不必要なシステム情報を獲得することなく、前記セル上で、前記無線リソース制御接続状態から無線リソース制御アイドル状態に遷移するためのコードとを含み、
前記不必要なシステム情報は、前記無線リソース制御接続状態で必要とされないシステム情報である、コンピュータ読取可能媒体を含むコンピュータプログラムプロダクト。
［２２］前記少なくとも１つの不必要なシステム情報を獲得するためのコードは、前記無線リソース制御接続状態から前記無線リソース制御アイドル状態に遷移する遷移期間を最小化する［２１］記載のコンピュータプログラムプロダクト。
［２３］前記コンピュータ読取可能媒体は、前記少なくとも１つの不必要なシステム情報を使用するためのコードをさらに含む［２１］記載の装置。
［２４］前記少なくとも１つの不必要なシステム情報を使用するためのコードは、前記少なくとも１つの不必要なシステム情報に基づくセル再選択を通して、動作停止になる可能性を最小化する［２３］記載のコンピュータプログラムプロダクト。
［２５］前記セル再選択は、前記セル上での同じ搬送波上における、異なる周波数へのイントラ周波数再選択であり、前記不必要なシステム情報は、システム情報タイプブロック３およびシステム情報タイプブロック４を含む［２４］記載のコンピュータプログラムプロダクト。
［２６］前記セル再選択は、前記セル上での、異なる搬送波へのインター周波数再選択であり、前記不必要なシステム情報は、システム情報タイプブロック３およびシステム情報ブロックタイプ５を含む［２４］記載のコンピュータプログラムプロダクト。
［２７］前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む［２４］記載のコンピュータプログラムプロダクト。
［２８］前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である［２１］記載のコンピュータプログラムプロダクト。
［２９］前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む［２１］記載のコンピュータプログラムプロダクト。
［３０］前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である［２９］記載のコンピュータプログラムプロダクト。
［３１］無線リソース制御接続状態の間に、少なくとも１つの不必要なシステム情報をセルから獲得し、
前記少なくとも１つの不必要なシステム情報を獲得することなく、前記セル上で、前記無線リソース制御接続状態から無線リソース制御アイドル状態に遷移するように構成されており、
前記不必要なシステム情報は、前記無線リソース制御接続状態で必要とされないシステム情報である、処理システムを具備する、ワイヤレス通信に対する装置。
［３２］前記処理システムは、前記無線リソース制御接続状態から前記無線リソース制御アイドル状態に遷移する遷移期間を最小化するために、前記無線リソース制御接続状態の間に、前記少なくとも１つの不必要なシステム情報を前記セルから獲得するように構成されている［３１］記載の装置。
［３３］前記処理システムは、前記少なくとも１つの不必要なシステム情報を使用するように構成されている［３１］記載の装置。
［３４］前記処理システムは、前記少なくとも１つの不必要なシステム情報に基づくセル再選択を通して、動作停止になる可能性を最小化するために、前記少なくとも１つの不必要なシステム情報を使用するように構成されている［３３］記載の装置。
［３５］前記セル再選択は、前記セル上での同じ搬送波上における、異なる周波数へのイントラ周波数再選択であり、前記不必要なシステム情報は、システム情報タイプブロック３およびシステム情報タイプブロック４を含む［３４］記載の装置。
［３６］前記セル再選択は、前記セル上での、異なる搬送波へのインター周波数再選択であり、前記不必要なシステム情報は、システム情報タイプブロック３およびシステム情報ブロックタイプ５を含む［３４］記載の装置。
［３７］前記セル再選択は、異なるセルへのインター無線アクセス技術再選択であり、前記不必要なシステム情報は、システム情報タイプブロック３、システム情報ブロックタイプ６、およびシステム情報ブロックタイプ７を含む［３４］記載の装置。
［３８］前記無線リソース制御接続状態は、ＲＲＣ＿ＣＯＮＮＥＣＴＥＤ状態であり、前記無線リソース制御アイドル状態は、ＲＲＣ＿ＩＤＬＥ状態である［３１］記載の装置。
［３９］前記不必要なシステム情報は、システム情報ブロックタイプ３、システム情報ブロックタイプ４、システム情報ブロックタイプ５、システム情報ブロックタイプ６、システム情報ブロックタイプ７、およびシステム情報ブロックタイプ９を含む［３１］記載の装置。
［４０］前記システム情報ブロックタイプ３は、ＳｙｓｔｅｍＩｎｆｏｒｍａｔｉｏｎＢｌｏｃｋＴｙｐｅ３であり、
前記システム情報ブロックタイプ４は、ＳｙｓｔｅｍＩｎｆｏｒｍａｔｉｏｎＢｌｏｃｋＴｙｐｅ４であり、
前記システム情報ブロックタイプ５は、ＳｙｓｔｅｍＩｎｆｏｒｍａｔｉｏｎＢｌｏｃｋＴｙｐｅ５であり、
前記システム情報ブロックタイプ６は、ＳｙｓｔｅｍＩｎｆｏｒｍａｔｉｏｎＢｌｏｃｋＴｙｐｅ６であり、
前記システム情報ブロックタイプ７は、ＳｙｓｔｅｍＩｎｆｏｒｍａｔｉｏｎＢｌｏｃｋＴｙｐｅ７であり、
前記システム情報ブロックタイプ９は、ＳｙｓｔｅｍＩｎｆｏｒｍａｔｉｏｎＢｌｏｃｋＴｙｐｅ９である［３９］記載の装置。
【図１】
0005944555.tif 000003
【図２】
0005944555.tif 000004
【図３】
0005944555.tif 000005
【図４】
0005944555.tif 000006
【図５】
0005944555.tif 000007
【図６】
0005944555.tif 000008
【図７】
0005944555.tif 000009
【図８】
0005944555.tif 000010
【図９】
0005944555.tif 000011
【図１０】
0005944555.tif 000012
【図１１】
0005944555.tif 000013